(57)【要約】      （修正有）【課題】蓋体の広告領域を拡大できるとともに、広告の内容を自由に変更できるようにした梱包用兼陳列用収納箱を提供する。【解決手段】開口２ｗを有する箱本体２と、開口２ｗの開口端の一辺に連設されて開口２ｗを閉塞し、開放状態で先端縁が一辺を含む箱本体２の側壁２ｆに重なるように折り曲げ可能な蓋体２ａと、折り曲げ状態における蓋体２ａの折り曲げ部より先端側の上面に接合され、蓋体２ａにおける先端側の領域より広い広告領域を有する硬質板６とを備える。【選択図】図２
0003189023.tif 000002
【実用新案登録請求の範囲】
【請求項１】
開口を有する箱本体と、
前記開口の開口端の一辺に連設されて前記開口を閉塞し、開放状態で先端縁が前記一辺を含む前記箱本体の側壁に重なるように折り曲げ可能な蓋体と、
前記折り曲げ状態における前記蓋体の折り曲げ部より先端側の上面に接合され、当該蓋体における前記先端側の領域より広い広告領域を有する硬質板とを備えることを特徴とする梱包用兼陳列用収納箱。
【請求項２】
前記硬質板は、前記蓋体が前記開口を閉塞した状態で、前記蓋体全体の領域と一致する大きさであることを特徴とする請求項１に記載の梱包用兼陳列用収納箱。
【請求項３】
前記硬質板は、少なくとも前シートが透明若しくは半透明である自立性の前・後シートを備え、前記前・後シートの間にポスターを収納可能であることを特徴とする請求項１または２に記載の梱包用兼陳列用収納箱。
【請求項４】
前記蓋体の先端縁に前記箱本体の一側壁が連設され、前記箱本体は、前記一側壁に重合される内側壁を備えることを特徴とする請求項１〜３のいずれか一項に記載の梱包用兼陳列用収納箱。
【請求項５】
前記折り曲げ状態における前記蓋体の先端側と後端側の対向面同士を接着する接着部を有することを特徴とする請求項１〜４のいずれか一項に記載の梱包用兼陳列用収納箱。
【請求項６】
前記蓋体は、蓋本体と、この蓋本体に切り込みが設けられることにより前記箱本体側に折り返し可能な補強片をさらに備え、この補強片は、前記蓋体の折り曲げ状態で前記蓋本体から前記箱本体に跨って重合可能に構成され、先端部を前記箱本体に接着する接着部を有することを特徴とする請求項１〜５のいずれか一項に記載の梱包用兼陳列用収納箱。
【考案の詳細な説明】
【技術分野】
【０００１】
本考案は、梱包用兼陳列用収納箱に関する。
【背景技術】
【０００２】
従来、図８（ａ）のように、四角形状の箱本体２０の内部に頒布物（パンフレットやカタログ等）が梱包されている梱包用兼陳列用収納箱がある（特許文献１参照）。
【０００３】
そして、図８（ｂ）のように、後側部２０ｂと前側部２０ｃとの間の略半分の長さ位置で上蓋部（蓋体）２０ａを山折り線ｙで山折りしながら、図８（ｃ）のように、上蓋部２０ａを箱本体２０の後側部２０ｂに沿って上方に立ち上げるようにしている。
【０００４】
これにより、箱本体２０の上蓋部２０ａが開封された状態となり、いわゆるポスターラックとなって、頒布物２１を開封面から取り出し可能に陳列することができる。
【０００５】
また、上蓋部２０ａの略半分の長さである前側部２０ｃの側の面〔図８（ｃ）にハッチングで示す。〕は、頒布物２１の内容を説明するための文章、図案、写真等が印刷された広告面２２となる。
【先行技術文献】
【特許文献】
【０００６】
【特許文献１】実用新案登録第３１３４２０４号公報
【考案の概要】
【考案が解決しようとする課題】
【０００７】
しかしながら、特許文献１では、上蓋部２０ａが箱本体２０の後側部２０ｂと前側部２０ｃとの方向に長いＪＩＳ規格のＡ４サイズであるとした場合、前側部２０ｃの側の面は、その略半分のＡ５サイズの広告面２２となる。すなわち、広告面２２については上蓋部２０ａの半部のサイズとなって、広告領域の充分な確保という点では不満の残るものであった。
【０００８】
また、広告面２２には、頒布物２１の内容を説明するための文章等が予め印刷されている。したがって、広告内容が固定されてしまい、時期に応じて広告内容を変更し、或いは別の頒布物を入れて再利用したりすることができないという問題がある。
【０００９】
本考案は、前記問題を解消するためになされたもので、蓋体の広告領域を拡大できるとともに、広告の内容を自由に変更できるようにした梱包用兼陳列用収納箱を提供することを目的とするものである。
【課題を解決するための手段】
【００１０】
前記課題を解決するために、本考案は、開口を有する箱本体と、前記開口の開口端の一辺に連設されて前記開口を閉塞し、開放状態で先端縁が前記一辺を含む前記箱本体の側壁に重なるように折り曲げ可能な蓋体と、前記折り曲げ状態における前記蓋体の折り曲げ部より先端側の上面に接合され、当該蓋体における前記先端側の領域より広い広告領域を有する硬質板とを備えることを特徴とする梱包用兼陳列用収納箱を提供するものである。
【００１１】
本考案によれば、蓋体は、開放状態で先端縁が一辺を含む箱本体の側壁に重なるように折り曲げ可能で、折り曲げ状態で開口を開放するようになっている。また、折り曲げ状態における蓋体の先端側の上面に、先端側の領域より広い広告領域を有する硬質板が接合されている。
【００１２】
これにより、蓋体が折り曲げられたとき、箱本体の上部に硬質板が臨むようになる。したがって、先端側の領域より広い広告領域を有する硬質板が広告面となり、蓋体の広告領域が拡大されるようになる。
【００１３】
また、硬質板にポスターを着脱可能に保持可能であるから、時期に応じて広告内容を変更し、或いは別の頒布物を入れて箱本体を再利用するのには、硬質板のポスターを交換するだけでよくなる。
【００１４】
前記硬質板は、前記蓋体が前記開口を閉塞した状態で、前記蓋体全体の領域と一致する大きさである構成とすることができる。
【００１５】
この構成によれば、硬質板は蓋体と同じサイズとなるから、蓋体の広告領域が大きく拡大されるようになる。
【００１６】
前記硬質板は、少なくとも前シートが透明若しくは半透明である自立性の前・後シートを備え、前記前・後シートの間にポスターを収納可能である構成とすることができる。
【００１７】
この構成によれば、自立性の前・後シートの間にポスターを収納するだけであるから、ポスターを交換することができる。
【００１８】
前記蓋体の先端縁に前記箱本体の一側壁が連設され、前記箱本体は、前記一側壁に重合される内側壁を備える構成とすることができる。
【００１９】
この構成によれば、蓋体の先端縁に箱本体の一側壁を連設することで、この一側壁も広告面として利用可能であるから、蓋体の広告領域をより拡大できる。また、箱本体は、一側壁に重合される内側壁を備えることで、箱本体に入れた頒布物が抜け出さないようなラックとして機能するようになる。
【００２０】
前記折り曲げ状態における前記蓋体の先端側と後端側の対向面同士を接着する接着部を有する構成とすることができる。
【００２１】
この構成によれば、蓋体の先端側と後端側の対向面同士が開かないので、折り曲げられた蓋体の強度が向上するようになる。
【００２２】
前記蓋体は、蓋本体と、この蓋本体に切り込みが設けられることにより前記箱本体側に折り返し可能な補強片をさらに備え、この補強片は、前記蓋体の折り曲げ状態で前記蓋本体から前記箱本体に跨って重合可能に構成され、先端部が前記箱本体に接着される接着部を有する構成とすることができる。
【００２３】
この構成によれば、折り返した補強片の先端部が箱本体に接着されるから、補強片が副木としての効果を発揮し、立ち上がり姿勢にある蓋体の倒伏を効果的に抑制して、長期にわたって使用しても前倒れや後倒れがしにくくなる。
【考案の効果】
【００２４】
本考案によれば、蓋体の広告領域を拡大できるとともに、広告の内容を自由に変更できるようになる。
【図面の簡単な説明】
【００２５】
【図１】本考案に係る梱包用兼陳列用収納箱の箱本体の展開図である。
【図２】（ａ）は図１の箱本体の梱包状態の斜視図、（ｂ）は図１の箱本体の上開口を開放した陣列状態の斜視図である。
【図３】硬質板を省略した箱本体であり、（ａ）は組み立て状態の斜視図、（ｂ）は頒布物を挿入する状態の斜視図である。
【図４】陳列時に箱本体の上蓋部を切り離して、ほぼ垂直の立ち上げ状態の斜視図である。
【図５】陳列状態の箱本体であり、（ａ）は補強片を切り抜く前の背面斜視図、（ｂ）は切り抜いた補強片を折り返して接着した背面斜視図である。
【図６】（ａ）はポスターの正面図、（ｂ）は頒布物の正面図である。
【図７】（ａ）（ｂ）は硬質板の変形例の平面図、（ｃ）（ｄ）は箱本体の変形例の斜視図、（ｅ）は硬質板の変形例の斜視図、（ｆ）は深い箱本体の斜視図である。
【図８】背景技術の箱本体であり、（ａ）は梱包状態の斜視図、（ｂ）は陳列時に上蓋部を切り離して山折りしている途中の斜視図、（ｃ）は陳列状態の斜視図である。
【考案を実施するための形態】
【００２６】
以下、本考案を実施するための形態について、図面を参照しながら詳細に説明する。図１は梱包用兼陳列用収納箱１の箱本体２の展開図である。図２（ａ）は図１の箱本体２の梱包状態の斜視図、図２（ｂ）は図１の箱本体２の上開口２ｗを開放した陣列状態の斜視図である。
【００２７】
梱包用兼陳列用収納箱１は、厚みが例えば２ｍｍ程度の硬質厚紙（段ボール等）を、例えばＪＩＳ規格のＡ４サイズの多数枚の頒布物３を内部に梱包できるように四角形状の箱本体２に組み立てるようになっている。頒布物３は、例えば図６（ｂ）のような特産品のパンフレットやカタログであり、数百枚が収納されるようになる。なお、箱本体２は、必ずしも四角形状である必要はなく、五角や六角等の多角形状、円形や楕円形状等であってもよく、この場合、頒布物３は、これらに合わせた形状にすることができる。
【００２８】
図１のように、箱本体２は、上蓋部（蓋体）２ａと底部２ｂと左側部２ｃと右側部２ｄと前側部（一側壁）２ｅと後側部２ｆとを備えている。
【００２９】
上蓋部２ａと底部２ｂは、Ａ４サイズの長さＬと幅Ｗに相当する長さ・幅寸法に設定されている。また、ポスター３の枚数高さＴに相当する深さ寸法で、左側部２ｃは上蓋部２ａの左縁に連設され、右側部２ｄは、上蓋部２ａの右縁に連設されるとともに底部２ｂにも連設されている。さらに、ポスター３の枚数高さＴに相当する寸法で、前側部２ｅは上蓋部２ａの前縁に連設され、後側部２ｆは上蓋部２ａの後縁（一辺）に連設されている。
【００３０】
そして、上蓋部２ａと底部２ｂと左側部２ｃと右側部２ｄとを長さ方向の山折り線ａ，ｂ，ｃ，ｄで折り込む。ついで、底部２ｂの糊しろ部２ｇに貼り付けられた両面テープ（ハッチングで示す。）４ａで、糊しろ部２ｇを左側部２ｃの内面に接着することで、四角筒状に組み立てる。なお、山折り線ａ，ｂは、切り取り可能なミシン目となっている。
【００３１】
その後、左側部２ｃの前フラップ部２ｈと右側部２ｄの前フラップ部２ｉとを、山折り線ｅ，ｆで山折りして内側に折り込む。この際、両面テープ（ハッチングで示す。）４ｂがそれぞれ貼り付けられた糊しろ部２ｊ，２ｋも山折り線ｇ，ｈで山折りして内側に折り込んでおく。
【００３２】
また、両面テープ（ハッチングで示す。）４ｃがそれぞれ貼り付けられた左側部２ｃの後フラップ部２ｍと右側部２ｄの後フラップ部２ｎとを、山折り線ｉ，ｊで山折りして内側に折り込む。
【００３３】
その後、上蓋部２ａの前側に連設された前側部２ｅを山折り線ｋ１で山折りし、前差し込み部２ｐを、切り取り可能なミシン目である山折り線ｋ２で山折りして、前差し込み部２ｐを底部２ｂと前フラップ部２ｈ，２ｉの各糊しろ部２ｊ，２ｋとの隙間に差し込む。また、上蓋部２ａの後側に連設された後側部２ｆを山折り線（連設縁）ｍ１で山折りし、後差し込み部２ｑを山折り線ｍ２で山折りして、後差し込み部２ｑを底部２ｂと後フラップ部２ｍ，２ｎとの隙間に差し込む。なお、後側部２ｆの後差し込み部２ｑの山折り線ｍ２の中央部分には、スリットｕが形成されている。後側部２ｆを山折り線ｍ１で山折りする際に、後フラップ部２ｍ，２ｎは、両面テープ４ｃで後側部２ｆの内面に接着されるようにする。
【００３４】
前側部２ｅの前差し込み部２ｐは、陳列時には、クロスハッチングで示す部分をミシン目で切り取って、タブ状部分２ｐ’だけが残るようにする。
【００３５】
このようにして、図１の展開状態の箱本体２は、図２（ａ）の梱包状態の四角形状の箱本体２に組み立てることができる。
【００３６】
箱本体２の上蓋部２ａには、後側部２ｆと前側部２ｅとの間の略半分の長さ位置で山折り可能な山折り線ｐが形成されている。なお、山折り線ｐは、必ずしも略半分の長さ位置である必要はない。
【００３７】
また、山折り線ｐを境にした上蓋部２ａの前側部２ｅの側の上面の幅方向の両側には、両面テープ（ハッチングで示す。）４ｄが長さ方向にそれぞれ貼り付けられている。
【００３８】
この両面テープ４ｄには、図２（ａ）（ｂ）のように、上蓋部２ａの略半分の長さよりも長い形状で、ポスター５を着脱可能に保持する硬質板６が貼り付けられている。
【００３９】
硬質板６は、上蓋部２ａの前側部２ｅの側の上面に貼り付けられた状態で、立直状態が維持できる自立性が要求される。その一例として、Ａ４サイズのクリアファイル６（Ａ）で形成されて、クリアファイル６（Ａ）の前側部２ｅの側の裏面を、両面テープ４ｄで前側部２ｅの側の上面に貼り付ける。クリアファイル６（Ａ）は、少なくとも前シートが透明若しくは半透明である自立性の前・後シートを備え、前・後シートの間に、図６（ａ）のように、頒布物３の内容を説明するための文章、図案、写真等が印刷された広告面となるＡ４サイズのポスター５を挟み込んで収納可能である。上蓋部２ａがＡ４サイズであり、クリアファイル６（Ａ）もＡ４サイズであれば、このクリアファイル６（Ａ）は、上蓋部２ａの全体の領域を覆う大きさということになる。
【００４０】
また、山折り線ｐを境にした上蓋部２ａの後側部２ｆの側の下面の幅方向の両側には、山折りされた上蓋部２ａの後側部２ｆの面と前側部２ｅの面の対向面同士を接着するための両面テープ（ハッチングで示す。）４ｅがそれぞれ貼り付けられている。
【００４１】
さらに、山折り線ｐを境にした上蓋部２ａの後側部２ｆには、Ｕ字形状のミシン目ｑで切り込んで谷折り線ｒで後側部２ｆの外面方向に折り返し可能な補強片２ｒが形成されている。この補強片２ｒの上面の長さ方向の両側には、両面テープ（ハッチングで示す。）４ｆがそれぞれ貼り付けられている。この両面テープ４ｆは、上蓋部２ａが山折りされたとき、補強片２ｒを、上蓋部２ａの後側部２ｆの側の上面と後側部２ｆの外面とに接着するためのものである。
【００４２】
前記のように梱包用兼陳列用収納箱１を構成すれば、組み立てられた箱本体２は図３（ａ）の状態である。なお、上蓋部２ａの両面テープ４ｄにはクリアファイル６（Ａ）が貼り付けられているが、図３（ａ）（ｂ）においては図示を省略している。
【００４３】
そして、図３（ｂ）のように、前側部２ｅを上方に開き、前フラップ部２ｈ，２ｉを側方に開いた状態で、矢印のように、多数枚の頒布物３を前開口２ｓから箱本体２の内部に挿入する。その後、前フラップ部２ｈ，２ｉを内方に閉じ、前側部２ｅを下方に閉じて、前側部２ｅの前差し込み部２ｐを底部２ｂと前フラップ部２ｈ，２ｉの各糊しろ部２ｊ，２ｋとの隙間に差し込む。これにより、箱本体２内に頒布物３が梱包されることになる。
【００４４】
そして、ポスター５を硬質板６であるクリアファイル６（Ａ）に挟み込み、そのポスター５の上となるように、梱包用兼陳列用収納箱１を配布する配布先等が印刷された配布先シート等を挟み込む。
【００４５】
この梱包用兼陳列用収納箱１は、別の手提げ用袋や段ボール箱に必要個数を詰めて、配布先にトラック等で搬送される。
【００４６】
配布先では、クリアファイル６（Ａ）に挟み込まれた配布先シート等の配布先を確認した後に、配布先シートを抜き取って、クリアファイル６（Ａ）からポスター５が見える状態とする。
【００４７】
クリアファイル６（Ａ）にポスター５や配布先シートを挟み込まない場合には、図３（ｂ）に二点鎖線ｚで示す上蓋部２ａの上面の範囲に、配布先を直接印刷し、または配布先を印刷したシール等を直接貼り付けることもできる。この印刷は、クリアファイル６（Ａ）を透して見ることができる。なお、クリアファイル６（Ａ）は、通常、両面が透明であるが、クリアファイル６（Ａ）を透して印刷を見る必要が無いような場合には、裏面が不透明のタイプのものであってもよい。
【００４８】
そして、配布先において陳列する際には、前側部２ｅを上方に開いて、前差し込み部２ｐのクロスハッチングで示す部分（図１参照）をミシン目で切り取って、タブ状部分２ｐ’だけが残るようにする。
【００４９】
また、上蓋部２ａの山折り線ａ，ｂはミシン目であるから、上蓋部２ａを後側部２ｆの方向に持ち上げながら、左側部２ｃと右側部２ｄとから切り離すことで、図４のように、上開口２ｗが開放されて、上蓋部２ａがほぼ垂直の立ち上げ状態となる。
【００５０】
その後、上蓋部２ａを山折り線ｐで山折りして折り曲げ、上蓋部２ａの後側部２ｆの面と前側部２ｅの面の対向面同士を両面テープ４ｅで接着する。また、前側部２ｅの内面を後側部２ｆの内面に沿わせて、タブ状部分２ｐ’を後側部２ｆの山折り線ｍ２のスリットｕに差し込んで、前側部２ｅが前方に移動しないようにする。
【００５１】
さらに、図５（ａ）（ｂ）のように、上蓋部２ａの補強片２ｒをミシン目ｑでＵ字形状に切り込んで、谷折り線ｒで後側部２ｆの外面方向に折り返し、この補強片２ｒを、上蓋部２ａの後側部２ｆ側の上面と後側部２ｆの外面とに両面テープ４ｆで接着する。補強片２ｒは、図５（ａ）（ｂ）のような矩形状である必要はなく、複数片で構成し、或いは三角形状や半円形状等であってもよい。なお、補強片２ｒは、上蓋部２ａの後側部２ｆの側の上面には、必ずしも接着しなくてもよい。
【００５２】
また、左側部２ｃの前フラップ部（内側壁）２ｈと右側部２ｄの前フラップ部（内側壁）２ｉの各糊しろ部２ｊ，２ｋを、底部２ｂの内面に両面テープ４ｂで接着する。
【００５３】
このようにして、梱包用兼陳列用収納箱１の箱本体２は、図２（ａ）の梱包状態から図２（ｂ）の陣列状態とすることができる。
【００５４】
前記のような梱包用兼陳列用収納箱１であれば、箱本体２の上蓋部２ａは、箱本体２の後側部２ｆに沿って上方に立ち上がるように、箱本体２の後側部２ｆと前側部２ｅとの間の略半分の長さ位置で山折りされている。そのうえで、上蓋部２ａの前側部２ｅの側の上面には、上蓋部２ａの略半分の長さよりも長い形状で、ポスター５を着脱可能に保持する硬質板６が貼り付けられている。
【００５５】
これにより、上蓋部２ａが山折りされたとき、後側部２ｆの側の硬質板６が山折り線ｐの上端よりも上方に突出するようになる。したがって、上蓋部２ａが箱本体２の後側部２ｆと前側部２ｅとの方向に長いＪＩＳ規格のＡ４サイズであるとした場合、前側部２ｅの側の面に後側部２ｆの側の面を加えた面、つまり、Ａ４フルサイズの広告面となる。したがって、Ａ４サイズのポスター５による広告面が背景技術の２倍に拡大されるから、上蓋部２ａの広告領域を拡大できるようになる。
【００５６】
さらに、上蓋部２ａの先端縁に箱本体２の一側壁である、前側部２ｅを連設することで、この前側部２ｅも広告面として利用可能であるから、上蓋部２ａの広告領域をより拡大できるようになる。また、箱本体２は、前側部２ｅに重合される、内側壁である前フラップ部２ｈ，２ｉを備えることで、箱本体２に入れた頒布物３が抜け出さないようなラックとして機能するようになる。なお、前フラップ部２ｈ，２ｉの間に隙間を形成しておけば、箱本体２に収納された頒布物３を指先で取り出し易くなる。
【００５７】
また、上蓋部２ａの前側部２ｅの側の上面に貼り付けられた硬質板６でポスター５を着脱可能に保持するから、箱本体２を再利用するために別の頒布物３を入れる際には、硬質板６のポスター５を着脱して交換するだけでよいので、広告の内容を自由に変更できるようになる。
【００５８】
さらに、硬質板６をクリアファイル６（Ａ）とすれば、ポスター５を挟み込むだけで交換することができる。
【００５９】
また、硬質板６を、図７（ａ）のようなクリップ６ａを有する自立性のクリップボード６（Ｂ）とすれば、ポスター５をクリップ６ａにクリッピングするだけで交換することができる。なお、図７（ｂ）のように、クリップ６ａに代えて、粘着テープ６ｂを設ければ、ポスター５を粘着テープ６ｂに貼るだけで交換することができる。
【００６０】
さらに、山折りされた上蓋部２ａの後側部２ｆの面と前側部２ｅの面の対向面同士を両面テープ４ｅで接着すれば、上蓋部２ａの後側部２ｆの面と前側部２ｅの面が開かないので、２つに山折りされて上方に立ち上がった上蓋部２ａの強度が向上するようになる。
【００６１】
また、折り返した補強片２ｒの外面が上蓋部２ａの外面と後側部２ｆの外面とに接着されるから、補強片２ｒが副木としての効果を発揮し、立ち上がり姿勢にある上蓋部２ａの倒伏を効果的に抑制して、長期にわたって使用しても前倒れや後倒れがしにくくなる。
【００６２】
前記実施形態では、箱本体２の前側部２ｅは、上蓋部２ａの前縁に連なるようにしたが、図７（ｃ）のように、上蓋部２ａの前縁と底部２ｂの前縁とに半分ずつの長さで連ならせて、前開口２ｓを閉じるようにすることもできる。
【００６３】
前記実施形態では、箱本体２の上蓋部２ａは、左側部２ｃと右側部２ｄに連なるようにしたが、図７（ｄ）のように、左側部２ｃと右側部２ｄの上縁に折り込み部２ａ’被せるような構造としても良い。
【００６４】
前記実施形態では、硬質板６は、上蓋部２ａのサイズと同じサイズ（例えばＪＩＳ規格のＡ４サイズ）にしたが、図７（ｅ）のように、上蓋部２ａのサイズよりも大きいサイズ（例えばＪＩＳ規格のＢ４サイズ）とすることも可能である。なお、硬質板６のサイズは、上蓋部２ａが山折りされたとき、硬質板６が山折り線ｐの上端よりも上方に突出すれば、その突出分だけ広告面が拡大されるので、ＪＩＳ規格のサイズにこだわる必要はない。
【００６５】
前記実施形態では、箱本体２は、数百枚のポスター５の枚数高さＴの深さに設定したが、図７（ｆ）のように、厚めの冊子であれば数倍の深さ寸法（本例では４倍）にすることも可能である。
【符号の説明】
【００６６】
１    梱包用兼陳列用収納箱
２    箱本体
２ａ  上蓋部（蓋体）
２ｂ  底部
２ｃ  左側部
２ｄ  右側部
２ｅ  前側部（一側壁）
２ｆ  後側部
２ｈ，２ｉ  前フラップ部（内側壁）
２ｐ  前差し込み部
２ｇ  後差し込み部
２ｒ  補強片
２ｓ  前開口
２ｗ  上開口（開口）
３    頒布物
４ａ〜４ｆ  両面テープ（接着部）
５    ポスター
６    硬質板
６（Ａ）  クリアファイル（硬質板）
６（Ｂ）  クリップボード（硬質板）
ｍ１  山折り線（連設縁）
ｐ    山折り線
【図１】
0003189023.tif 000003
【図２】
0003189023.tif 000004
【図３】
0003189023.tif 000005
【図４】
0003189023.tif 000006
【図５】
0003189023.tif 000007
【図６】
0003189023.tif 000008
【図７】
0003189023.tif 000009
【図８】
0003189023.tif 000010